(57)【要約】【課題】型枠パネルをコンクリート躯体から容易かつ迅速に取り外せる型枠パネルの支持装置を得る。【解決手段】軸心部にねじ孔（２３ａ）が貫通形成された円錐台状のホルダ（２０）を設け、各型枠パネル（１１）間に介装したセパレーター（１２）の両端部を前記各ホルダ（２０）の小径側のねじ孔（２３ａ）に螺合させ、一端部に大径のフランジ部（２５ｂ）及び該フランジ部（２５ｂ）の軸心部から軸方向に突出する雄ねじ部（２５ａ）を有するホームタイ（２５）を設け、該ホームタイ（２５）の雄ねじ部（２５ａ）を前記各型枠パネル（１１）の外側から挿通して前記各ホルダ（２０）の大径側のねじ孔（２３ａ）に螺合させるとともに、前記フランジ部（２５ｂ）を各型枠パネル（１１）の外面に当接させる。【選択図】        図２
2004324334.tif 000002
【特許請求の範囲】
【請求項１】
軸心部にねじ孔（２３ａ）が貫通形成された円錐台状のホルダ（２０）を設け、該ホルダ（２０）を、その大径側にて相対する各型枠パネル（１１）の内面に対面させ、各型枠パネル（１１）間に介装したセパレーター（１２）の両端部を前記各ホルダ（２０）の小径側のねじ孔（２３ａ）に螺合させ、一端部に大径のフランジ部（２５ｂ）及び該フランジ部（２５ｂ）の軸心部から軸方向に突出する雄ねじ部（２５ａ）を有するホームタイ（２５）を設け、該ホームタイ（２５）の雄ねじ部（２５ａ）を前記各型枠パネル（１１）の外側から挿通して前記各ホルダ（２０）の大径側のねじ孔（２３ａ）に螺合させるとともに、前記フランジ部（２５ｂ）を各型枠パネル（１１）の外面に当接させることを特徴とする型枠パネルの支持装置。
【発明の詳細な説明】
【０００１】
【発明の属する技術分野】
本発明は、打ち込まれたコンクリートを成型する型枠に関し、特にその型枠パネルの支持装置に関するものである。
【０００２】
【従来の技術】
従来は、図５〜図７に示すようになっていた。図５〜図７において、１は型枠パネル１１を内面側から支持する円錐台状のホルダ（木コン）、５は該型枠パネル１１を外面側から支持する棒状のホームタイである。上記ホルダ１は、プラスチック製の主体２の軸心部に金属製の連結軸４を貫通させて一体的に固着してなる。即ち、主体２は円錐台状に形成するとともに、大径側の内周部に凹部３を形成する。また、連結軸４はその左端部を上記主体２の大径側から左方に突出させてこの部に雄ねじ部４ａを形成し、右端部は上記主体２の小径側内に埋設し、その軸心部にねじ孔４ｂを形成する。また、連結軸４の上記凹部３内に位置する基部は大径かつ六角形状の工具係合部４ｃに形成する。
【０００３】
上記ホームタイ５は、金属材により左右に細長く形成し、図５、図７に示すように、右端部に上記雄ねじ部４ａが螺合するねじ孔５ａを形成するとともに、該右端に大径のフランジ部５ｂを形成する。また、左端部に楔係合用の長孔５ｃ（図７）を形成する。
【０００４】
図６，図７は上記ホルダ１及びホームタイ５の実施形態を示す。図６において、１０はコンクリート製の基礎、あるいは壁等の躯体を形成する型枠であり、一対の型枠パネル１１，１１を左右に対面させ、これらを金属棒製のセパレーター１２、前述したホルダ１及びホームタイ５等を使用して所定の間隔に保持する。即ち、ホルダ１の雌ねじ部４ｂを上記セパレーター１２の両端部に形成したねじ軸１２ａにねじ込み固定し、これらを左右の型枠パネル１１間に介在させるとともに、各ホルダ１の大径側から突出した雄ねじ部４ａを上記各型枠パネル１１に形成した通し孔１１ａ（図７）に内面側から挿通し、その端部を各型枠パネル１１から外側に突出させる。
【０００５】
次いで、ホームタイ５を各型枠パネル１１の外側に配置し、そのねじ孔５ａを上記ホルダ１の雄ねじ部４ａの外端部にねじ込み、そのフランジ部５ｂとホルダ１の大径側の端面とで上記各型枠パネル１１を挟持し、次いで、上記ホームタイ５の外端部に形成した長孔５ｃに楔６を打込み、各型枠パネル１１の外面側に取り付けた補強用の横管１３、たて桟１４を介して各型枠パネル１１の外面を補強し、図６に示すような型枠１０を形成する。この状態で各型枠パネル１１間に生コンクリートを充填、硬化させてコンクリート躯体１５を形成する。
【０００６】
上記型枠１０をコンクリート躯体１５から離型する際には、図７に示すように、楔６をホームタイ５の長孔５ｂから取り外し、又は緩め、該楔６または工具を使用して上記ホームタイ５を緩み方向に回転させ、これをホルダ１の雄ねじ部４ａから取り外した後、横管１３を型枠パネル１１から取り外す（図７の左部の状態）。次いで型枠パネル１１をコンクリート躯体１５に対して平行に保ちつつ、外側に移動させ、該コンクリート躯体１５及びホルダ１の雄ねじ部４ａから外す図７の右部の状態）。次いで、ホルダ１の工具係合部４ｃにスパナ等の工具を係合させ、これを緩み方向に回転させてセパレーター１２のねじ軸１２ａ、従ってコンクリート躯体１５から外した後、該ホルダ１の離脱によって発生したコンクリート躯体１５の凹部にモルタルを詰めてこの部を平滑にする。
【０００７】
【発明が解決しようとする課題】
上記従来のものは、ホルダ１の大径側に雄ねじ部４ａが突出していたので、型枠パネル１１をコンクリート躯体１５から取り外す際に、該型枠パネル１１をコンクリート躯体１５に対して平行に保ちつつ、外側に移動させる必要があり、これの離型作業に手数を要するとともに、該離型時に型枠パネル１１の通し孔１１ａが雄ねじ部４ａによって損傷され易くなるものであった。本発明は、ホルダの軸心部にねじ孔を貫通形成し、ホームタイ側にホルダのねじ孔と螺合する雄ねじ部を設けることにより、上記不具合を解消した新規な型枠パネルの支持装置を得ることを目的とする。
【０００８】
【課題を解決するための手段】
本発明は、上記目的を達成するために以下の如く構成したものである。即ち、軸心部にねじ孔が貫通形成された円錐台状のホルダを設け、該ホルダを、その大径側にて相対する各型枠パネルの内面に対面させ、各型枠パネル間に介装したセパレーターの両端部を前記各ホルダの小径側のねじ孔に螺合させ、一端部に大径のフランジ部及び該フランジ部の軸心部から軸方向に突出する雄ねじ部を有するホームタイを設け、該ホームタイの雄ねじ部を前記各型枠パネルの外側から挿通して前記各ホルダの大径側のねじ孔に螺合させるとともに、前記フランジ部を各型枠パネルの外面に当接させる構成にしたものである。
【０００９】
【発明の実施の形態】
以下本発明の実施の形態を図面に基いて説明する。図面において、図１は本発明によるホルダとホームタイとの連結状態を示す一部断面側面図、図２は本発明による型枠パネルの支持状態を示す一部断面側面図、図３は本発明によるホームタイの取り外し状態を示す一部断面側面図、図４は本発明による型枠パネル及びホルダの取り外し状態を示す一部断面側面図である。
【００１０】
図１〜図４において、２０は型枠パネル１１を内面側から支持する円錐台状のホルダ（木コン）、２５は該型枠パネル１１を外面側から支持する棒状のホームタイである。上記ホルダ２０は、プラスチック製の主体２１の軸心部にねじ孔２３ａが貫通形成された金属製の芯金２３を一体的に埋設してなり、主体２１は円錐台状に形成するとともに、大径側の内周部に凹部２２を有する。また、上記芯金２３は、主体２１の左右幅と略等しい長さとし、凹部２２内に位置する部位を大径かつ六角形状にし、この部をスパナ等の工具が係合可能な工具係合部２３ｂとする。
【００１１】
上記ホームタイ２５は、図３に示すように、金属材により左右に細長く形成し、右端部に上記ねじ孔２３ａに螺合する雄ねじ部２５ａを形成するとともに、該右端に大径のフランジ部２５ｂを形成し、左端部に楔係合用の長孔２５ｃを形成してなる。
【００１２】
図２，図３は上記ホルダ２０及びホームタイ２５の実施形態を示す。図２において、１０は前述と同様の型枠であり、一対の型枠パネル１１，１１を左右に対面させ、これらを金属棒製のセパレーター１２、前述したホルダ２０及びホームタイ２５等を使用して所定の間隔に保持する。即ち、上記セパレーター１２の両端部に形成したねじ軸１２ａにホルダ２０の小径側のねじ孔２３ａをねじ込み、該セパレーター１２の両端部に２個のホルダ２０をそれぞれ小径側が対面する如くして固定し、これらを左右の型枠パネル１１間に介在させるとともに、各ホルダ２０のねじ孔２３ａを上記各型枠パネル１１に形成した通し孔１１ａと対面させる。
【００１３】
次いで、ホームタイ２５を各型枠パネル１１の外側に配置し、その雄ねじ部２５ａを外側から上記各型枠パネル１１の通し孔１１ａに挿通し、その端部を上記ホルダ２０の大径側のねじ孔２３ａにねじ込み、各型枠パネル１１を上記ホームタイ２５のフランジ部２５ｂとホルダ２０の大径側の端面とで挟持する。次いで、上記ホームタイ２５の外端部に形成した長孔２５ｃに楔２６を打込み、各型枠パネル１１の外面側に取り付けた補強用の横管１３、たて桟１４を介して各型枠パネル１１の外面を補強し、図２に示すような型枠１０を形成する。この状態で各型枠パネル１１間に生コンクリートを充填し、これを硬化させてコンクリート躯体１５を形成する。
【００１４】
上記型枠１０をコンクリート躯体１５から離型する際には、図３に示すように、楔２６をホームタイ２５の長孔２５ｃから取り外し、又は緩め、該楔２６または工具を使用して上記ホームタイ２５を緩み方向に回転させ、これをホルダ２０のねじ孔２３ａから取り外した後、横管１３を型枠パネル１１から取り外す。次いで、図４に示すように、型枠パネル１１をコンクリート躯体１５から外す。この場合、ホルダ２０の外側の端面はコンクリート躯体１５と同一面となっているため、上記型枠パネル１１は、コンクリート躯体１５の面に対して傾斜させながら外すことができ、型枠パネル１１とコンクリート躯体１５間にバール等を差し込んで容易に外すことができる。
【００１５】
次いで、ホルダ２０の工具係合部２３ｂにスパナ等の工具を係合させ、これを緩み方向に回転させてセパレーター１２のねじ軸１２ａ、従ってコンクリート躯体１５から外す。その後、上記ホルダ２０の離脱によって発生したコンクリート躯体１５の凹部にモルタルを詰めてこの部を平滑にする。
【００１６】
【発明の効果】
以上の説明から明らかな如く、本願に係る発明は、ホルダの軸心部にねじ孔を貫通形成し、ホームタイの端部に雄ねじ部を形成し、この雄ねじ部を型枠パネルの外側から上記ホルダの大径側のねじ孔に螺合させるようにしたので、型枠パネルをコンクリート躯体から取り外す際に、上記ホルダにコンクリート躯体の面から外側方に突出する突起物が存在しなくなり、各型枠パネルをコンクリート躯体から容易かつ迅速に取り外すことができる。
【図面の簡単な説明】
【図１】本発明によるホルダとホームタイとの連結状態を示す一部を断面した側面図である。
【図２】本発明による型枠パネルの支持状態を示す一部断面側面図である。
【図３】本発明によるホームタイの取り外し状態を示す一部断面側面図である。
【図４】本発明による型枠パネル及びホルダの取り外し状態を示す一部断面側面図である。
【図５】従来によるホルダとホームタイとの連結状態を示す一部断面側面図である。
【図６】従来による型枠パネルの支持状態を示す一部断面側面図である。
【図７】従来によるホームタイの取り外し状態を示す一部断面側面図である。
【符号の説明】
１０    型枠
１１    型枠パネル
１１ａ  通し孔
１３    横管
１４    縦桟
１５    コンクリート躯体
２０    ホルダ（木コン）
２１    主体
２２    凹部
２３    芯金
２３ａ  ねじ孔
２３ｂ  工具係合部
２５    ホームタイ
２５ａ  雄ねじ部
２５ｂ  フランジ部
２５ｃ  長孔
２６    楔
【図１】
2004324334.tif 000003
【図２】
2004324334.tif 000004
【図３】
2004324334.tif 000005
【図４】
2004324334.tif 000006
【図５】
2004324334.tif 000007
【図６】
2004324334.tif 000008
【図７】
2004324334.tif 000009